(57)【要約】      （修正有）【課題】現在の日本の状況は、団塊時代の人々が人生の60代を迎え益々老人世代に突入していき、健康嗜好がクローズ・アップされる。自分の体は、御自身で管理しなければ行けない時期に成って来ると思われる。又、若い世代の人達も食事の好き嫌い、人工食材(添加物)が多く決して最高の健康状態ではないのが現実である。経済的に安価で自身の健康管理できる健康器具を提供する。【解決手段】足の裏には色々なツボが在り、そのツボを刺激する事により色々な病を予防、強制し正常な状態に戻す事も克服できる可能性もある優れものである。家庭不和、家庭内暴力等も無くなり、子供社会にも善い状況に成るかも知れない。家族の会話も弾み、お子さん達もたくさんの友達も増え、ご近所さんとも良好な状態に、会話も、話題も増えいい環境になる。【選択図】図１
0003128074.tif 000002
【実用新案登録請求の範囲】
【請求項１】
足裏を乗せる部材に色々なツボを刺激する、突起を付けて、又、突起部に足の指を挟み刺激を与え肩凝り、変形足を強制する。
【請求項２】
皮膚に刺さらないツボ押部材（針）を装着し、その部材で御自身（パートナ）でツボを押して自分の健康管理をする。
【請求項３】
筋肉を柔らかく解す部材（コロコロ）で、足裏のツボ、緊張している筋肉を柔らかくほぐす。
【請求項４】
裏盤には、将棋、碁、オセロ、チェス、メンコその他色々な盤として利用する。
【考案の詳細な説明】
【技術分野】
【０００１】
本考案は足裏健康部材、ゲームなどを利用し心と身体の健康管理に関する。
【背景技術】
【０００２】
上記足裏健康部材は、精々突起部は、存在しますが、変形足などの矯正などは、出来る機能などは全く無く又その上に乗るだけで、その他の機能は無く、購入された後何処に置いたか分らなくなる事が多々ある。
【考案の開示】
【考案が解決しようとする課題】
【０００３】
而して、上記ツボ踏み具は、既に市販に供されているが、それほど貴重にされていないのが現状である。
【課題を解決するための手段】
【０００４】
本考案は、何時までも（毎日）利用され、変形足も矯正出来、ツボ押し(針)具、筋肉を解す(コロコロ)、荷物紐、将棋、碁、チェス、オセロ、面子盤等など色々多機能も充実させ、お子様から大人まで毎日利用される利便性機能を持たせた優れものである。
【考案の効果】
【０００５】
本考案の効果は，材料を木材にすれば，現在クローズアップされている林業、山林などの環境改善にも繋がり，その相乗効果として海にも良い影響が現れる。
【考案を実施するための最良の形態】
【０００６】
本考案は健康器具に遊び心、実用性、利便性も可ね備えた家族に何時何時までも愛用され貴重な1品に成り国内勿論の事、海外に於いても一家に一台は必要な器具になる。盤の大きさは碁盤より広く、表、裏盤も利用でき脚が横、上、下に移動でき邪魔にならず其の上安定性を重要視し優れた健康器具である。
【産業上の利用可能性】
【０００７】
而して、マサジチェアーの如く何十万円もせず、子供から大人まで毎日使用され安価で利用価値があり変形足も矯正出来、筋肉の緊張も解し、一家揃って、お互いに協力して使用する事で会話も弾み家族の爛々にも寄与し、家庭不和、家庭内暴力も無くなり、家庭円満に成る。時には、親子で裏面を使ってゲーム(オセロ)なぞなぞを楽しんでいると家族揃って健康で充実した日々が送れる。御子さんには、多くの友達も出来る可能性もある。親御さん達もご近所さん達とも一つの話題で会話が出来るかも知れない。健康な身体に健全な精神が宿り、健全な社会に、人々が笑い、健全な日本国(世界)になる。
【図面の簡単な説明】
【０００８】
【図１】本考案に係る多目的盤の概略説明図である。
【図２】図１の正面図
【図３】図１の側面図
【図４】図１−１−２の拡大図
【図５】図１−１−２の断面拡大図
【図６】図１−３の拡大図
【図７】図１−４−５の拡大図
【図８】図１−４−５の拡大斜視図
【図９】図１−８の拡大図
【図１０】図１の裏側
【図１１】図１０−９の拡大図
【符号の説明】
【０００９】
１  変形足矯正、肩凝り解消突起部、図５−１’微調整可能な空間
２  微調整可能な空間の範囲
３  ツボ押(大、小)小は、(針先は円形)皮膚に刺さらない針
４  筋肉の緊張を解す(コロコロ)
５  脱着可能なコロコロの台、持ち手
６  荷紐、設置棒
７  足ツボ当て突起部
８  上、中、下自由に移動する脚
９  色々のゲーム盤を固定する部品
１０  板、プラスチック板、ゲーム盤
１１  将棋、碁、など色々なゲーム盤を重ねて使用
１２  本体の裏側
【図１】
0003128074.tif 000003
【図２】
0003128074.tif 000004
【図３】
0003128074.tif 000005
【図４】
0003128074.tif 000006
【図５】
0003128074.tif 000007
【図６】
0003128074.tif 000008
【図７】
0003128074.tif 000009
【図８】
0003128074.tif 000010
【図９】
0003128074.tif 000011
【図１０】
0003128074.tif 000012
【図１１】
0003128074.tif 000013
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
盤に足を乗せ足の指を挟み肩こり、変形足を矯正する円錐の突起部（1）を装備した表盤を有する盤。
【請求項２】
脱着可能な皮膚に刺さらないツボ押し部材（3）を有する請求項1記載の盤。
【請求項３】
脱着可能な筋肉を柔らかく解す部材（4、5）を有する請求項1,2記載の盤。
【請求項４】
表盤の裏面である裏盤には、将棋、碁、オセロ、チェス、メンコであるゲーム板（10）を固定する部品（9）を有する請求項1ないし3記載の盤。
【手続補正２】
【補正対象書類名】明細書
【補正対象項目名】０００４
【補正方法】変更
【補正の内容】
【０００４】
本考案は、変形足、肩凝り解消突起部（1）太さ直径１ｃｍ〜３ｃｍ 高さ２ｃｍ〜５ｃｍの円錐に足の５指を挟み変形足、肩こりを解消する、又筋肉を解す部材（４、５）は、横幅１０ｃｍ〜２０ｃｍ、山部は２〜３ヶ所、高さ５ｃｍ〜１０ｃｍ、持ち手台幅１０ｃｍ〜２０ｃｍ、台の厚さ３ｃｍ〜５ｃｍで脱着自在な部材（４、５）で筋肉を解す。又表盤の裏面である裏盤には、将棋、碁、オセロ、チェス、メンコ板等々のゲームを行うことが出来る様にした物である。
【手続補正３】
【補正対象書類名】明細書
【補正対象項目名】０００８
【補正方法】変更
【補正の内容】
【０００８】
【図１】本考案に係る多目的盤の構造図、組立図、概念図
【図２】多目的盤の正面図
【図３】図１の側面図
【図４】図１の符号１,２の拡大図
【図５】図１の符号１,２の断面拡大図
【図６】図１の符号３の拡大図
【図７】図１の符号４，５の正面拡大図
【図８】図１の符号４，５の斜正図
【図９】図１の符号８脚の拡大図
【図１０】表盤の裏面である裏盤の正面図
【図１１】ゲーム版固定部材の拡大図
【手続補正４】
【補正対象書類名】明細書
【補正対象項目名】０００９
【補正方法】変更
【補正の内容】
【０００９】
１  変形足矯正、肩凝り解消突起部、
1’  微調整可能な空間
２  微調整可能な空間の範囲
３  ツボ押し大、小の針詳細説明へ移す
４  筋肉を解す部材
５  筋肉を解す部材の台、詳細説明へ移す
６  荷紐の設置棒
７  足ツボ当て突起部
８  脚、詳細説明へ移す
９  複数のゲーム盤を固定する部品
１０  ゲーム板面
１１  将棋、碁など複数のゲーム板
１２  盤の裏面
【手続補正書】
【提出日】平成18年10月12日(2006.10.12)
【手続補正１】
【補正対象書類名】実用新案登録請求の範囲
【補正対象項目名】全文
【補正方法】変更
【補正の内容】
【実用新案登録請求の範囲】
【請求項１】
表盤に足を乗せ足の指を挟み肩こり、変形足を矯正する円錐の突起部（1）を装備した表盤を有する健康器具。
【請求項２】
表盤に脱着可能な皮膚に刺さらないツボ押し部材（3）を装備した請求項1記載の表盤を有する健康器具。
【請求項３】
表盤に脱着可能な筋肉を柔らかく解す部材（4,5）を装備した請求項1又は2記載の表盤を有する健康器具。
【請求項４】
表盤の裏面である裏盤には、将棋、碁、オセロ、チェス、メンコであるゲーム板（10）を固定する部品（9）を有する請求項1ないし3記載の盤を有する健康器具。
【手続補正２】
【補正対象書類名】図面
【補正対象項目名】全図
【補正方法】変更
【補正の内容】
【図１】
0003128074.tif 000014
【図２】
0003128074.tif 000015
【図３】
0003128074.tif 000016
【図４】
0003128074.tif 000017
【図５】
0003128074.tif 000018
【図６】
0003128074.tif 000019
【図７】
0003128074.tif 000020
【図８】
0003128074.tif 000021
【図９】
0003128074.tif 000022
【図１０】
0003128074.tif 000023
【図１１】
0003128074.tif 000024